(57)【要約】【課題】防虫器具を簡易に取替えできるものとし、特に狭小な空間に作業者が入り込むことなく防虫器具を簡易に取替え作業することができるようにして、しかも防虫効果が確実に現れる防虫器具およびその取付け具を創作することである。【解決手段】害虫防除剤を徐放可能に担持させたネット片１の片面に、自動販売機の脚部５などの棒状部に巻き付く弾性を有するＣ字状帯片３を添わせてポイント溶着部４により一体に設ける。二股のアームを把持棒と一体に設けた取付け用ホルダを利用し、予め、Ｃ字状帯片３の突き合わせた端部３ａを弾性力に抗して広げた状態にしておいて、内側に脚部５を収容した状態で、Ｃ字状に復帰させ脚部５に巻き付く弾性を発揮させればよい。脚部５から取り外すときには、突き合わせた端部３ａを弾性力に抗して広げるようにして引き抜けばよい。【選択図】図１
2010124779.tif 000002
【特許請求の範囲】
【請求項１】
害虫防除剤を徐放可能に担持させたシート片またはネット片の少なくとも片面に、防虫対象物の棒状部に巻き付く弾性を有するＣ字状帯片を添わせて一体に設けてなる防虫器具。
【請求項２】
防虫対象物が、自動販売機、厨房機器、電子機器、送電機器、衛生設備機器または家庭用電気製品である請求項１に記載の防虫器具。
【請求項３】
シート片またはネット片をＣ字状帯片の展開長より長い帯状片に形成し、前記シート片またはネット片の端部を、Ｃ字状帯片内側に複数回折り曲げて防虫対象物の棒状部と前記端部とを接触可能に設けた請求項１に記載の防虫器具。
【請求項４】
二股のアームを把持棒と一体に設け、前記二股のアームの内側にそれぞれフックまたはクリップからなる係止部を設け、この係止部は、請求項１に記載の防虫器具の両端を、それぞれアームの基端側から先端側に向かって差し込んで係止可能であり、かつ前記防虫器具をアームの先端側から基端側に引き抜けば取り外し可能な係止部である請求項１〜３のいずれかに記載の防虫器具の取付け用ホルダ。
【請求項５】
請求項４に記載の防虫器具の取付け用ホルダにおける二股のアームの長手方向の中ほどに防虫器具の抜け止め用クッションをアームの内側に突出させて設けた請求項４に記載の防虫器具の取付け用ホルダ。
【発明の詳細な説明】
【技術分野】
【０００１】
この発明は、自動販売機などに侵入する虫を防除するための防虫器具およびその取付け用ホルダに関するものである。
【背景技術】
【０００２】
一般に、屋外または屋内において、食品などの商品をその商品が傷まないように、好ましくは適温に一時貯蔵しておき、随時に販売する自動販売機が、近年多用されているが、自動販売機内に昆虫類が侵入する場合があり、衛生上の問題や需要者に不快感を起こさせないように、自動販売機内に虫を侵入させない工夫が必要である。
【０００３】
そのために用いられる公知の防虫器具２０として、図１１に示すものは、自動販売機の脚部５や配管の周囲に隙間なく嵌まるよう形成にされた合成樹脂製でリング状の防虫器具２０であり、前記合成樹脂に害虫忌避剤を徐放可能に担持させたものである（特許文献１）。
【０００４】
上記の防虫器具２０は、自動販売機などの脚部５に取付ける際に、リングの切れ目を利用するか、または脚部５のネジを緩めて取り外し、挿し通すようにしてリング中央に形成されている孔に脚部５を嵌め入れて固定される。また、図１２に示すように、自動販売機の壁面に貫通する電線７などに取付けるには、両面粘着シート２１を介して害虫忌避剤を徐放可能に担持させた防虫リング２２を壁面２３に貼着するか、または両面粘着テープ２４を介して忌避剤入りテープ２５を巻きつけるようにしていた。
【０００５】
また、自動販売機とは防除対象物が全く異なるが、防除対象物が農作物である場合に、これを覆って鳥や昆虫から保護するシートやネットとして、農薬を徐放可能に担持した合成樹脂製保護材が知られている（特許文献２）。
【０００６】
【特許文献１】特開平６−２１５２４１号公報
【特許文献２】特開２００２−２７２２８５号公報
【発明の開示】
【発明が解決しようとする課題】
【０００７】
しかし、上記した従来技術のうち、特許文献１に記載された技術では、自動販売機の脚部５や配管などの周囲に作業者が入り込んで着脱作業するための空間がないため、取付けや取替え作業（メンテナンス）が困難である。
【０００８】
すなわち、自動販売機とそれを設置する床面や背側の壁面からの隙間は、通常、数センチ程度しかなく、そのような狭小な空間に作業者が入り込んで防虫器具を取替え作業することは困難であり、また重量物である自動販売機を必要に応じてジャッキで持ち上げて移動したり、傾けたりするという作業も煩雑である。
【０００９】
また、農薬を徐放可能に担持した合成樹脂からなるシートやネットは、たとえテープ状に加工したとしても対象物に巻きつける作業が必要となるため、上記煩雑な作業の必要性を排除することはできなかった。
【００１０】
そこで、この発明の課題は、上記した問題点を解決して、防虫器具を簡易に取替えできるものとし、特に狭小な空間に作業者が入り込むことなく防虫器具を簡易に取替え作業することができるようにして、しかも防虫効果が確実に現れる防虫器具およびその取付け具を創作することである。
【課題を解決するための手段】
【００１１】
上記の課題を解決するために、この発明においては、害虫防除剤を徐放可能に担持させたシート片またはネット片の少なくとも片面に、防虫対象物の棒状部に巻き付く弾性を有するＣ字状帯片を添わせて一体に設けてなる防虫器具としたのである。
【００１２】
上記したように構成されるこの発明の防虫器具は、Ｃ字状帯片が、その弾性力によって防虫対象物の棒状部に巻きつくことにより、それと一体の害虫防除剤を徐放可能に担持させたシート片またはネット片が防虫対象物の棒状部に巻きつくように固定されるので、確実に害虫防除作用を発揮する。
【００１３】
防虫器具を防虫対象物の棒状部に装着する際、Ｃ字状帯片をその弾性力に抗して突き合わせた端部を広げた状態にしてから、棒状部に嵌めてその弾性力を発揮させればよく、取り外すときには弾性力に抗して突き合わせた端部を広げた状態になるようＣ字状帯片を棒状部から引き抜けばよく、従来の接着または粘着固定による装着に比べて簡便な取り扱いができる。
【００１４】
このように防虫器具の着脱ができる防虫対象物の例としては、自動販売機、厨房機器、電子機器、送電機器、衛生設備機器または家庭用電気製品が代表的なものである。
【００１５】
このような自動販売機等の防虫対象物は、通常、設置する床面から５〜１０ｃｍ程度の柱状の脚部を介して通気性を確保しており、また背面や側面から導入される電気配線、水道配管、排水管などの管状部を有するものであり、この発明では前記柱状の脚部や管状部をまとめて棒状部と称している。
【００１６】
通常、上記した脚部は防虫対象物の重量を支持するために固定されて頑丈なものであるが、電気配線などは細くて曲がりやすいものであり、固定されていない部分が多く、不安定である。
そのような細くて曲がりやすい柱状物にも対応するため、シート片またはネット片をＣ字状帯片の展開長より長い帯状片に形成し、前記シート片またはネット片の端部を、Ｃ字状帯片内側に複数回折り曲げて防虫対象物の棒状部と前記端部とを接触可能に設け、それ以外は前記防虫器具と同じ構成の防虫器具としたのである。
【００１７】
シート片またはネット片の端部を前記Ｃ字状帯片と一体化させずに複数回折り曲げておくと、棒状部の径がＣ字状帯片の径より小さくても、シート片またはネット片の端部はＣ字状帯片の内側に突出するため防虫対象物の棒状部表面に接触できる。
これにより害虫防除剤を徐放可能に担持させたシート片またはネット片の害虫防除機能が充分に発揮され、昆虫類が棒状部の表面を伝って防虫対象物内に侵入することを充分に防止することができる。
【００１８】
このような防虫器具を棒状部に対して狭小な設置空間でも容易に装着できるようにするために、この発明では、二股のアームを把持棒と一体に設け、前記二股のアームの内側にそれぞれフックまたはクリップからなる係止部を設け、この係止部は、前記構成の防虫器具の両端を、それぞれアームの基端側から先端側に向かって差し込んで係止可能であり、かつ前記防虫器具をアームの先端側から基端側に引き抜けば取り外し可能な係止部である防虫器具の取付け用ホルダとしたのである。
【００１９】
上記したように構成されるこの発明の防虫器具の取付け用ホルダは、二股のアームの内側に設けた係止部に、所定弾性を有するＣ字状帯片を重ねて一体に設けた防虫器具の両端を、それぞれアームの基端側から先端側に向かって差し込んで、引き抜けば取り外し可能な状態に保持しておくことができる。なお、前記保持状態で防虫器具は、二股のアームの開き幅だけ拡開された状態であり、その弾性力で二股のアームに係止される。
【００２０】
把持棒を把持して手作業により、狭小な空間の適当な位置に防虫器具を差し入れた際には、開かれたＣ字状帯片の内側に棒状部が入り込み、さらに把持棒を押し入れる操作によって、棒状部に押されたＣ字状帯片がアームの先端側から基端側に相対的に移動するから、フックまたはクリップからなる係止部からＣ字状帯片は引き抜かれ、同時にＣ字状帯片はその弾性力で両端部が突き合わされるようになって棒状部に巻き付き、害虫防除剤を徐放可能に担持させたシート片またはネット片も棒状部に巻きつくのであり、その後に二股のアームと把持棒だけを回収することができる。
【００２１】
このような防虫器具の取付け用ホルダは、二股のアームの長手方向の中ほどに防虫器具の抜け止め用クッションをアームの内側に突出させて設けたものであることが好ましい。
抜け止め用クッションによって、防虫器具のホルダ装着姿勢が安定すると共に、その後に僅かな外力を受けたとしても防虫器具は、係止部から外れずに確実に取付け作業を行なうことができる。
【発明の効果】
【００２２】
本願の防虫器具に係る発明は、害虫防除剤を徐放可能に担持させたシート片またはネット片にＣ字状帯片を添わせて一体に設けたので、弾性力で防虫対象物の棒状部にシート片またはネット片を取付けて、それに担持させた害虫防除剤を徐放することにより、有効に作用するよう防虫器具を簡易に取替えできるという利点がある。
【００２３】
また、前記シート片またはネット片の端部を、Ｃ字状帯片内側に複数回折り曲げた防虫器具に係る発明では、シート片またはネット片の端部はＣ字状帯片の内側に突出して、細くて曲がりやすい柱状物にもよく接触して害虫防除機能が充分に発揮される利点がある。
【００２４】
また、防虫器具の取付け用ホルダに係る発明では、二股のアームの内側にそれぞれフックまたはクリップからなる係止部を設けたことにより、防虫器具の両端を、それぞれアームの基端側から先端側に向かって差し込んで、引き抜けば取り外し可能であるから、狭小な空間に作業者が入り込むことなく防虫器具を簡易に取替え作業することができる利点がある。
【００２５】
また、二股のアームの長手方向の中ほどに防虫器具の抜け止め用クッションを設けた防虫器具の取付け用ホルダに係る発明では、僅かな外力を受けたとしても防虫器具は、係止部から外れずに確実に取付け作業を行なうことができる利点がある。
【発明を実施するための最良の形態】
【００２６】
この発明の実施形態を以下に添付図面に基づいて説明する。
図１〜６に示す防虫器具Ａの第１実施形態は、害虫防除剤を徐放可能に担持させたネット片１の片面に、自動販売機の脚部５などの棒状部に巻き付く弾性を有するＣ字状帯片３を添わせてポイント溶着部４により一体に設けてなるものである。
【００２７】
防虫対象物となる自動販売機８などには、その底面、背面、側面などの壁面に、脚部５、水道等の配管６や電線７などの柱状のものが貫通している。自動販売機８以外の防除対象物としては、厨房機器、電子機器、送電機器、衛生設備機器または家庭用電気製品が代表例として挙げられる。この発明における自動販売機は、貨幣やカードなどを投入口に入れると、物品が自動的に出てくる装置であり、例えば飲料、雑誌、乗車券などの販売等に用いられるものである。厨房機器は、台所や調理場で使用され主として業務用の調理機器、冷蔵庫、冷凍庫、ショーケース、食器洗浄機などの機器である。電子機器は、電子工学技術を用いた電気製品であり、比較的大型の複写機や印刷機なども含まれる。送電機器は、送電用施設などに用いられ、電力を送るために必要な制御システムなどを含む電気関連装置である。衛生設備機器は、空調機器や給排水衛生設備機器を含み、水や空気を衛生的に利用するための機器であり、例えば簡易洗面・トイレ、バス・シャワーなどの機器である。家庭用電気製品は、家庭用の冷蔵庫、照明器具、空調機器その他の電気製品である。
【００２８】
ネット片１は、特にその素材を限定するものではなく、害虫防除剤を徐放可能に担持させた合成樹脂からなる繊維や線状成形物、または天然素材の繊維からなる糸状物を編織して網目を形成したネット、または成形により網目を成形した網目状シートまたは多孔シートを防除対象の大きさに応じて方形状その他の適当な形状に裁断したものが挙げられる。
このようなネット片１やシート片は、いずれも柔軟性を有する素材を採用することが、防虫対象物の棒状部の形状や径に対して適合させ易いので好ましい。
【００２９】
害虫防除剤は、ポリオレフィン樹脂や酢酸ビニル樹脂等のバインダーを用いて繊維に固定してもよく、繊維や成形物に混合し、または含浸して担持させることもできる。前記混合に際しては、防除成分とともに乳化剤または可溶化剤、その他周知の添加剤を配合しても良いのは勿論である。
【００３０】
ネット片１などの網目や孔の大きさは、防除対象となる害虫が容易に潜り抜けない程度の大きさであればよく、例えば１〜５ｍｍ程度範囲で適当な網目や孔の大きさを選定できる。
または、このようなネット片と同様な作用を有しながら、網目や整列した孔を有しないが害虫防除剤を徐放可能に担持している樹脂シートや、多孔性シートまたは不織布（シート）からなるシート片であっても使用可能である。
【００３１】
このようなネット片またはシート片に担持させる害虫防除剤は、特に限定されるものではなく、周知の殺虫剤や害虫忌避剤を利用できる。例えば、ピレスロイド系殺虫剤としては、エムペントリン、ペンフルスリン、テラレスリン、アレスリン、バイオアレスリン、エキスリン、エスバイオール、レスメトリン、フラメトリン、プラレトリン、フタルスリン、フェノトリン、ペルメトリン、シフェノトリン等が挙げられる。さらに有機リン系およびカーバメイト系殺虫剤としては、フェニトロチオン、ピリミホスメチル、マラチオン、プロポクサー、ベンジオカルブ等の従来から知られている各種のものを挙げることができる。その他の防虫剤としては、樟脳、ナフタレン、パラジクロルベンゼン、イソボルニル、チオシアノ酢酸、１，２−ベンゼンジカルボン酸ジエチルエステル等が挙げられる。
【００３２】
また、忌避剤としては、２−エチル−１，３−ヘキサンジオール、インダロン、フタル酸ジメチル、Ｎ，Ｎ−ジメチル−ｍ−トルアミド、Ｎ−ブチルアセトアニリド、プロピル−Ｎ，Ｎ−ジエチルサクシナート、Ｎ，Ｎ−ジエチルフェニルアセトアミド、イソアミル−エチレングリコールアセトアミド、シクロヘキサン−アルカノイックカルボキシアミド、ジメチル−２−クロロベンズアミド、２−クロロ−Ｎ，Ｎ−ジエチルベンズアミド等が挙げられる。
【００３３】
図１に示すように、Ｃ字状帯片３は、シート片やネット片１の少なくとも片面に溶着、接着、係止などによって固定された状態で一体化して用いる。
そして、図１（ｃ）の二点鎖線に示すように、予め、突き合わせた端部３ａを弾性力に抗して広げた状態にしておいて、内側に脚部５を収容した状態で、Ｃ字状に復帰させ脚部５に巻き付く弾性を発揮させればよい。脚部５から取り外すときには、突き合わせた端部３ａを弾性力に抗して広げるようにして引き抜けばよい。
【００３４】
図３〜６に示すように、防虫器具の取付け用ホルダＣの第１実施形態は、二股のアーム９を複数の連結可能な把持棒１０の先端部分と一体に設け、前記二股のアーム９の内側にそれぞれフック形の係止部９ａを設けたものであり、係止部９ａは、防虫器具Ａの両端を、それぞれアーム９の基端側から先端側に向かって差し込んで係止可能であり、防虫器具Ａをアーム９の先端側から基端側に引き抜けば取り外し可能である。
【００３５】
図示した防虫器具の取付け用ホルダＣの第１実施形態では、二股のアーム９の中ほどから先端にかけて弾性を有するスポンジ状の合成樹脂で形成された抜け止め用クッション１１をアーム９の内側全体に盛り上がるよう突出させて設けている。
【００３６】
また、アーム９の片方にはリングなどの支持部品１２を固定して設けて、抜け止め用クッション１１を補強している。これにより、防虫対象物の棒状部が見えずに取付け作業する時にも把持棒１０を持って脚部５などの棒状部に防虫器具Ａが接触することを手で触感できるようにしている。
【００３７】
このような抜け止め用クッション１１を取付けると、アーム９の先端部に設けたフックからなる係止部９ａの内側がクリップの機能を果たすようになり、防虫器具Ａの端部を挟み込んで確実に保持できるようになる。
【００３８】
図４〜６に示すように防虫器具Ａの取付け用ホルダＣを使用するときには、先ず、二股のアーム９の内側に設けた係止部９ａに、防虫器具Ａの両端を差し込んで二股のアーム９の開く幅だけ拡開された状態で防虫器具Ａを保持する。
【００３９】
次に把持棒１０の所要部分を把持して防虫器具Ａを自動販売機などの床面上の狭小な空間に差し入れ（図４）、開かれたＣ字状帯片の内側に脚部５を入れるようにし（図５）、さらに把持棒を軸方向に押し入れて、脚部５に当たった防虫器具Ａがアーム９の先端の係止部９ａから外れて基端側に移動し、防虫器具Ａは、その弾性力で両端部が突き合わされるように閉じて脚部５に巻き付く（図６）。その際に、ネット片１は脚部５の周囲に害虫防除剤を徐放可能にする。二股のアーム９およびそれに一体の把持棒１０（図３参照）は回収することができる。
【００４０】
前記した二股のアーム９は、一定の開き角度で設けた二股が接近・離反する方向に弾性を有する、いわゆる「弾性アーム」であることが好ましい。このような弾性アームを採用すると、防虫器具が係止された二股のアーム９は、Ｃ字状帯片３の形状復帰の弾性力によって開き角度が非係止状態より若干小さくなっているが、防虫器具Ａが外れると、Ｃ字状帯片３による弾性力がなくなるため、前記アーム９の開き角度は大きくなり、防虫器具Ａから二股のアーム９がより外れやすくなり、取付け作業も円滑になるからである。
【００４１】
また、図７〜９に示す防虫器具Ｂの第２実施形態は、ネット片２をＣ字状帯片３の展開長より長い帯状片に形成し、ネット片２の端部２ａを、Ｃ字状帯片３の内側に２回折り曲げて防虫対象物の電線７などの棒状部と前記端部とをネット片２の有する弾性でもって接触可能に設け、その他の構成は、第１実施形態と同様に構成されたものである。
【００４２】
このようにすると、第１実施形態の防虫器具Ａと同じ作用効果を奏する他、棒状部が電線や配管などであって、その径がＣ字状帯片３の径より相当に小さくても、シート片またはネット片２の端部２ａはＣ字状帯片３の内側に突出するゆえ電線７などの棒状部の表面に確実に接触できる。
これによりシート片またはネット片２の害虫防除機能が充分に発揮され、昆虫類が電線７や配管などの棒状部の表面を伝って防虫対象物の表面や内部に侵入することを防止できる。
【００４３】
そして、図８、９に示すように防虫器具の取付け用ホルダＤの第２実施形態は、二股のアーム１３の内側に設けたフックからなる係止部１３ａに、好ましくは第２実施形態の防虫器具Ｂの両端を差し込んで、二股のアーム１３の開き幅だけ拡開された状態で保持するものである。二股のアーム１３の片側には、抜け止めクッション１４を山型に設けている。
【００４４】
図９（ａ）に示すように、把持棒１０（図３参照）を把持して防虫器具Ｂを自動販売機などの背面や側面の狭小な空間に差し入れ、図９（ｂ）に示すように、開かれたＣ字状帯片３の内側に電線７などの棒状部を当接させ、次いで把持棒１０を軸方向に押しつける操作によって、防虫器具Ｂは係止部１３ａから外れ、Ｃ字状帯片３は弾性力で両端部３ａが突き合わされるように閉じて電線７などの棒状部に巻き付く。その後に、図９（ｃ）に示すように、二股のアーム１３を電線７の軸方向に沿って防虫器具Ｂから外れるように移動させることにより、防虫器具Ｂから取付け用ホルダＤを離脱させて回収することができる。
【００４５】
図９（ｄ）に示す状態に取付けられた防虫器具は、図１０に示すようなフック１５を取付けた把持棒１０を用いてネット片やシート片またはＣ字状帯片などを引っ掛けて容易に取り外すことができる。
【図面の簡単な説明】
【００４６】
【図１】(a)第１実施形態である防虫器具の展開図、(b)第１実施形態である防虫器具の正面図、(c)第１実施形態である防虫器具の平面図
【図２】防虫対象物に対する防虫器具の取付け状態の説明図
【図３】第１実施形態の防虫器具の取付け用ホルダの平面図
【図４】図１の防虫器具の棒状部に対する取付け状態を説明する正面図
【図５】図１の防虫器具の棒状部に対する取付け状態を説明する正面図
【図６】図１の防虫器具の棒状部に対する取付け状態を説明する正面図
【図７】(a)第２実施形態である防虫器具の展開図、(b)第２実施形態である防虫器具の正面図、(c)第２実施形態である防虫器具の平面図
【図８】第２実施形態である防虫器具の取付け用ホルダの平面図
【図９】第２実施形態である防虫器具の防虫対象物に対する取付け状態の説明図
【図１０】フックを取付けた把持棒の正面図
【図１１】従来例のリング状防虫器具の脚部への取付け状態の説明図
【図１２】従来例のリング状防虫器具の壁面又は水道配管への取付け状態の説明図
【符号の説明】
【００４７】
１、２  ネット片
２ａ、３ａ  端部
３  Ｃ字状帯片
４  ポイント溶着部
５  脚部
６  配管
７  電線
８  自動販売機
９、１３  二股のアーム
９ａ、１３ａ  係止部
１０  把持棒
１１、１４  抜け止め用クッション
１２  支持部品
１５  フック
２０  防虫器具
２１  両面粘着シート
２２  防虫リング
２３  壁面
２４  両面粘着テープ
２５  忌避剤入りテープ
Ａ、Ｂ  防虫器具
Ｃ、Ｄ  取付け用ホルダ
【図１】
2010124779.tif 000003
【図２】
2010124779.tif 000004
【図３】
2010124779.tif 000005
【図４】
2010124779.tif 000006
【図５】
2010124779.tif 000007
【図６】
2010124779.tif 000008
【図７】
2010124779.tif 000009
【図８】
2010124779.tif 000010
【図９】
2010124779.tif 000011
【図１０】
2010124779.tif 000012
【図１１】
2010124779.tif 000013
【図１２】
2010124779.tif 000014